Podtech/llm-jp-corpus-v4-ja_patent huggingface dataset:
(57)【要約】    【課題】  健康促進に効果のある新規な靴下を提供すること。  【解決手段】  本発明に係る靴下は、着用者の足を覆う靴下本体部と；前記靴下本体部の足裏部に配置され、着用者の足裏を刺激する突出部とを備えている。突出部は、中足骨付近に位置する。前記突出部は、例えば、シリコンゴムで成形し、前記足裏部に接着することが出来る。あるいは、前記突出部は、パイル編みによって前記靴下本体部と一体的に成形することもできる。  【選択図】  図１
2006193844.tif 000002
【特許請求の範囲】
【請求項１】
着用者の足を覆う靴下本体部と；
前記靴下本体部の足裏部の内側または外側に配置され、着用者の足裏を刺激する突出部とを備え、
前記突出部は、中足骨付近に位置することを特徴とする健康促進用の靴下。
【請求項２】
前記突出部は、シリコンゴムから成形され、前記足裏部に接着されることを特徴とする請求項１に記載の靴下。
【請求項３】
前記突出部は、パイル編みによって前記靴下本体部と一体的に成形されることを特徴とする請求項１に記載の靴下。
【発明の詳細な説明】
【技術分野】
【０００１】
本発明は、靴下、ストッキング、タイツなど、靴の下に履く履物に関する。特に、健康促進に効果のある靴下に関する。
【背景技術】
【０００２】
人間の足裏には、全体重を支えるために２つのアーチがあると言われている。１つは、母指球−土踏まず−踵を結ぶ縦方向のアーチである。他の１つは、母指球−中足骨−小指付け根を結ぶ横方向のアーチである。これらのアーチの存在により、（１）母指球、（２）足の小指と足の第４指の下部、（３）踵、の３点にバランスよく足圧（体重）が加わる。そして、２本のアーチが足にかかる体重の負荷をやわらげ、バネの役割をし、関節に無理な負担をかけることなくスムーズに歩行することができる。この状態を「３点歩行」と言う。足裏にアーチがない状態（偏平足）では、クッションが無い状態で足裏に全体重が掛かるため、そのストレスは足首、膝にまで及ぶ。ひいては、疾患につながる可能性もある。
【０００３】
特開平７−２３８４０１には、土踏まずを刺激する突出具を設けた靴下カバーが開示されている。
【特許文献１】特開平７−２３８４０１
【発明の開示】
【発明が解決しようとする課題】
【０００４】
上記のように、土踏まず等の足裏のツボを刺激する靴や靴下は既にいくつか提案されているが、３点歩行を意識した靴下は存在しなかった。
【０００５】
本発明は上記のような状況に鑑みて成されたものであり、理想の３点歩行を支援し、健康促進に効果のある新規な靴下を提供することを目的とする。
【課題を解決するための手段】
【０００６】
上記目的を達成するために、本発明に係る靴下は、着用者の足を覆う靴下本体部と；前記靴下本体部の足裏部の内側又は外側に配置され、着用者の足裏を刺激する突出部とを備えている。突出部は、中足骨付近に位置する。前記突出部は、例えば、シリコンゴムで成形し、前記足裏部に接着することが出来る。あるいは、前記突出部は、パイル編みによって前記靴下本体部と一体的に成形することも出来る。
【０００７】
上記のような構成の本発明によれば、突出部により中足骨の下部が足の甲に向かって持ち上げられ、縦のアーチと横のアーチが正しく形成され、これらのアーチによる足裏のバネ（クッション）機能が良好に働く。その結果、本発明に係る靴下着用者の体重が足裏にバランスよく分散され、足首やひざのストレスも少なく、自然に理想の３点歩行を実行し易くなる。
【発明を実施するための最良の形態】
【０００８】
図１は、本発明の実施例に係る靴下の構造を示す断面図である。実施例に係る靴下１０は、着用者の足を覆う靴下本体部１２と；靴下本体部１２の足裏部に配置され、着用者の足裏を刺激する突出部１４とを備えている。図２に示すように、突出部１４は、着用者の足裏の中足骨付近に位置する。突出部１４は、例えば、シリコンゴムで成形し、靴下の足裏部内側又は外側に接着する。あるいは、突出部１４は、パイル編みによって靴下本体部と一体的に成形することも出来る。
【０００９】
突起部１４の高さＨは、突起部１４の材質（硬度）、使用条件に応じて変更（調整）することができる。例えば、長時間の立ち仕事をする着用者の場合には、突起部１４の高さを低めにすることが好ましい。刺激が強くなりすぎるのを防ぐためである。また、突起部１４を低反発フォームなどの柔軟な材質で成形した場合には、突起部１４の高さＨを比較的高くすることが好ましい。十分な刺激を得るためである。
【００１０】
本実施例においては、突起部１４により靴下着用者の中足骨の下部が足の甲に向かって持ち上げられ、縦のアーチと横のアーチが正しく形成され、これらのアーチにより足のバネ（クッション）機能が良好に働く。
【００１１】
図３は、実施例に係る靴下を着用した立位での足裏の温度状態を示すサーモグラフである。図４は、通常の靴下を着用した立位での足裏の温度状態を示すサーモグラフである。図５は、実施例に係る靴下を着用してスクワット運動をした時の足裏の温度状態を示すサーモグラフである。図６は、通常の靴下を着用してスクワット運動をした時の足裏の温度状態を示すサーモグラフである。各図において、斜線で示す領域が温度が最も高い、すなわち、圧力が最も多くかかっている領域である。
【００１２】
図３〜図６に示すように、本発明に係る靴下１０を着用した場合には、足の裏にバランスよく体重が分散される。その結果、足首やひざのストレスも少なく、自然に理想の３点歩行を実行しやすくなる。
【００１３】
なお、靴の内側に突起を形成した場合、正確に中足骨の位置に合わせるのが困難であるが、本発明のように靴下の場合には、容易に位置調整をすることができる。
【００１４】
以上、本発明の実施例について説明したが、本発明はこれらの実施例に何ら限定されるものではなく、特許請求の範囲に示された技術的思想の範疇において変更可能なものである。本発明は、靴下の他に、ストッキング、タイツ、スパッツ、サポーター等にも適用可能である。
【図面の簡単な説明】
【００１５】
【図１】図１は、本発明の実施例に係る靴下の構造を示す断面図である。
【図２】図２は、実施例に係る靴下に使用される突起部の足裏における位置を示す説明図である。
【図３】図３は、実施例に係る靴下を着用した立位での足裏の温度状態を示すサーモグラフである。
【図４】図４は、通常の靴下を着用した立位での足裏の温度状態を示すサーモグラフである。
【図５】図５は、実施例に係る靴下を着用してスクワット運動をした時の足裏の温度状態を示すサーモグラフである。
【図６】図６は、通常の靴下を着用してスクワット運動をした時の足裏の温度状態を示すサーモグラフである。
【符号の説明】
【００１６】
１０      健康促進用の靴下
１２      靴下本体
１４      突起部
【図１】
2006193844.tif 000003
【図２】
2006193844.tif 000004
【図３】
2006193844.tif 000005
【図４】
2006193844.tif 000006
【図５】
2006193844.tif 000007
【図６】
2006193844.tif 000008
(57)【要約】      （修正有）【課題】詰め替え用容器から簡単にボトルに移し変え可能な容器を提供する。【解決手段】詰め替え用容器は柔軟なプラスチックパウチで構成され、その付属スイカンは、簡単に容器から切り取りができ、ボトル等に入れる場合、その付属スイカンを用い、こぼすことなく使用できる。又、柔軟な紙パック等でも同様に使用できる。１はプラスチックパウチ本体で、２が、３のミシン目部分から、とりはずし出来るスイカンである。【選択図】図１
2006193210.tif 000002
【特許請求の範囲】
【請求項１】
柔軟なプラスチックパウチ本体に．切りはずし出来る．スイカンを使い液体等をボトルに詰め替える際に．こぼす事無く入れやすくした．詰め替え用容器
【請求項２】
あらかじめ手でも簡単に．本体との切りはずしが出来るよう．ミシン目が．付いているスイカン付．詰め替え用容器
【発明の詳細な説明】
【技術分野】
【０００１】本発明は．詰め替え用容器から．簡単にボトルにうつし替えできるよう図った詰め替え用容器に関する。
【背景技術】
【０００２】従来の詰め替え用容器は．ボトルにうつし替える際に．ボトル口が小さい為こぼれたり．入れずらかった為．別のスイカン等を使って入替える事もある。
【特許文献１】
【特許文献２】
【非特許文献１】
【非特許文献２】
【発明の開示】
【発明が解決しようとする課題】
【０００３】従来の詰め替え用容器は．ボトル口が小さい為．こぼれたり非常に詰め替えずらかった。
【課題を解決するための手段】
【０００４】本発明は．このような従来の．入れ替えずらかった問題を解決するものであり．付属スイカンを使い．簡単に入れ替えが出来ることを目的とするものである。
【発明の効果】
【０００５】本発明の．詰め替え用容器は．付属のスイカンを使い．ボトル口が小さくても．こぼさず簡単に．詰め替えが出来る。
【発明を実施するための最良の形態】
【０００６】本発明の．形態を．図１〜図６に基づいて説明する。
【実施例】
【０００７】図においては．図１．１はプラスチックパウチ本体で．２が．３のミシン目部分から．とりはずし出来るスイカンである。【０００８】図２．切りはなした２のスイカンを．指で７．８つまむようにすると．図２のようにひらく．６の穴の後部分６Ａがボトル口に入る。【０００９】図３．切りはなしたスイカンを横から見た図で．９．１０つまんだ図であり下部の６Ａ部分が．ボトル口に入る。【００１０】図４．１１ボトルに．とりはずしたスイカンを付け．こぼす事なくプラスチックパウチからの液体を．注ぐことが出来る。【００１１】図５．図１の２が．図５の１２になり．図１の４の部分が図５の部分になり．１４．１５の部分をミシン目し１３を．ボトル口にする事も可能である。【００１２】図６．１６の部分は．密着してない状態である。
【図面の簡単な説明】
【００１３】
【図１】本発明の形態を示す．プラスチックパウチ詰め替え用容器
【図２】取り外したスイカンを上から見た図
【図３】取り外したスイカンを横から見た図
【図４】ボトルにスイカンを．さしこみ液体を詰め替え図
【図５】スイカン口の上の部分に取り付けた図
【図６】取り外したスイカンを２の上から見た図
【符号の説明】
１  スイカン付詰め替え用容器本体
２  スイカン上部分
３  切りはずしミシン目部分
４  ボトル口に．さしこむ部分
５  スイカンの側面部分
６  スイカンの上から見てボトル口にさしこむ裏側の部分
６Ａ  ボトル口に．つしこむ部分
７  スイカンの横の部分（つまむところ）
８  スイカンの横の部分（つまむところ）
９  スイカンの横の部分
１０  スイカンの横の部分
１１  ボトル本体
【符号の説明】
１２  図１の．２の部分を図５の１２の部分にした時
１３  図１の．４の部分を図５の１３の部分にした時
１４  図１の．３の部分を図５の１４の部分にした時
１５  図１の．ミシン目を図５の１５の部分にした時
１６  スイカンを上から見て密着してない部分
【図１】
2006193210.tif 000003
【図２】
2006193210.tif 000004
【図３】
2006193210.tif 000005
【図４】
2006193210.tif 000006
【図５】
2006193210.tif 000007
【図６】
2006193210.tif 000008
(57)【要約】【課題】  一度開封したペットボトル等は、蓋部分から開封前に比べ大気・湿気の透過が急速に進み容器内液体を短時間で品質劣化を起こしていた。特に炭酸飲料がその一例である。【解決手段】ペットボトル等の蓋内１に球体である球栓２を取り付けることにより、蓋部分の隙間を埋め容器内への大気・湿気の透過を妨げる。よって一度開封した蓋１でも再び密閉状態を作ることができ容器内液体の品質劣化を長時間防ぐことができる。【選択図】  図１
2006193209.tif 000002
【特許請求の範囲】
【請求項１】
ペットボトル等の蓋内に球栓を取り付けることにより、蓋接着部分付近からの空気中の大気の透過率をさげペッボトル内液体の酸化による劣化、炭酸の抜けをやわらげる。よって品質が長く保たれる効果がある。
【発明の詳細な説明】
【技術分野】
【０００１】本発明は、ペットボトル等容器内液体の品質劣化の早期化を解決するために、ペットボトル等の蓋内に球栓を取り付け口径にしっかりと密着させ、空気中の大気の透過率をさげることにより容器内液体の酸化をやわらげ品質保存、炭酸の抜けにくさの長期化を実現したものである。
【背景技術】
【０００２】従来は、ペットボトル等の蓋内に口径をしっかりと固定、密着させるための球栓を装着しているものはなかった。
【発明の開示】
【発明が解決しようとする課題】
【０００３】特にペットボトル等の蓋を一度開封した後などは、固定していた接着部分がはがれ、再び蓋を密封しても、口径に蓋がしっかりと密着せずに目に見えないわずかな隙間から大気・湿気が入り短時間で容器内液体の品質劣化が急速に進むという難点があった。本発明は、この課題を解消するためになされたものである。
【課題を解決するための手段】
【０００４】ペットボトル等の蓋内１に球栓２を装着することによって球体を利用し、円形である口径３の密着面積を増大させ、また従来のネジ式の蓋４によって球体である球栓を押さえつけ圧力をかけることによって容器内への大気・湿気進入を妨げる。炭酸も抜けにくくなる。
【発明の効果】
【０００５】球体を利用して蓋をしっかり固定・密着し容器内の大気・湿気の進入を妨げることでペットボトル等内液体の品質保存期間を大幅に延ばすことができる。炭酸も同様である。特に一度開封された容器に関しても球体により、容器内液体の急速な品質劣化を防ぐことができる。
【実施例１】
【０００６】（イ）蓋内１に球栓２を接着させた状態にしておく。蓋底は少し球体にあわせ丸みを持たせる。口径３のサイズに球体をあわせる。（２２ミリが基準）
（ロ）蓋ネジ山４の数と口径ネジ山５の数をあわせて球栓２に上からの圧力がかかり固定できるように調整する
【図面の簡単な説明】
【０００７】
【図１】本発明の正面図である。
【図２】本発明の使用状態を示す断面図である。
【符号の説明】
【０００８】１、蓋本体（蓋内）
２、球栓  （球体）
３、容器口（口径）
４、蓋内のネジ山
５、容器口のネジ山
【図１】
2006193209.tif 000003
【図２】
2006193209.tif 000004
(57)【要約】【課題】  ペットボトルラベルの切り取りには、ラベルにミシン目が１本又は２本垂直に備えられているが切り口が指先で簡単に切り取れない為、指先に負担がかかりカッターナイフなどの刃物で切り取るが、危険が伴う為に資源回収時には、ペットボトルにラベルが付いたままになっている。【解決手段】  ペットボトルラベルの接着部の上部又は下部に点字を設けた切り口を備え接着部全体を切り取る手段を備えることで年配者や目の不自由な人で有っても、指先に負担をかけず簡単にラベルを切り取ることが出来る。【選択図】  図１
2006193207.tif 000002
【特許請求の範囲】
【請求項１】
ペットボトルのラベルの重なり合う接着部の上下のいずれか一方端もしくは両端に接着部近傍位置でラベル端部に開口する楔状の切り欠きを設けて成るラベルの切り口を特徴とする。
【請求項２】
ペットボトルのラベルの上下のいずれか一方端もしくは両端に指先で切り剥ぐことの出来る切り口と、切り口にそって垂直に１本もしくは２本の狐目もしくはミシン目を設けたことを特徴とするペットボトルのラベル。
【請求項３】
ペットボトルのラベルの切り口に点字を備えたことを特徴とするペットボトルのラベル。
【発明の詳細な説明】
【技術分野】
【０００１】  本発明はペットボトルのラベルに関するものである。
【背景技術】
【０００２】  資源リサイクル法によって、分別回収されるペットボトルのラベル剥がしには苦労するためショッピングセンターなどの回収ボックスには、ラベルのついたままのペットボトルが数多く出されている。【０００３】  殆どのペットボトルのラベル剥がし対策にミシン目が垂直に１本又は２本設けられているが、ミシン目まで指先によって切り剥ぐには指先に負担がかかりカッターナイフなどで切り取るが、危険が伴う。【０００４】  その為従来技術（特開平１０−３１６１４３）には、ラベルの上部又は下部に凸部のツマミと２本のミシン目を備えて凸部のツマミを引っ張ることによってミシン目が剥がれる技術を提案されている。又（特開２００４−２５６１６９）にはラベルの上部に斜の切り込みツマミを備えツマミを引っ張ることによってラベルを切り剥ぐ技術を提案されている。
【特許文献１】特開平１０−３１６１４３号公報３頁図１
【特許文献２】特開２００４−２５６１６９号公報３頁図１
【発明の開示】
【発明が解決しようとする課題】
【０００５】  かかる従来技術において、ラベルの一部に突出した凸部のツマミを設けることは、一連のラベルの製造ラインにおいてフィルムに印刷されたラベルの切断に対し、切り離されたフィルムに凹部が残り、その凹部を切り取る工程と切り取られたフィルムが無駄になる課題がある。【０００６】  又ラベルに斜の切りこみツマミ口を設け、そのツマミ口によってラベルを斜に切り剥ぐにはフィルムの性質上、指先に相当の負担がかかる。【０００７】  ペットボトルラベルの切り取りには、年配者や目の不自由な人でも指先に負担をかけずスムーズに切り取る方法が必要である。
【課題を解決するための手段】
【０００８】  殆どのペットボトルのラベルのフィルムは、ボトルに対し垂直に切り易く、斜や水平には切り憎い性質があるため、本発明においてはペットボトルのラベルの重なり合う接着部分全体を垂直に切り取る手段と、切り口に点字を備えたものである。
【発明の効果】
【０００９】  上記の手段を備えることで年配者や目の不自由な人でも指先に負担をかけず、スムーズにラベルを切り取ることが出来る。
【発明を実施するための方法】
【００１０】  ペットボトルのラベルの重なり合う接着部はラベルが二重になっているため、接着部以外のラベルに対して強度が二倍になっている、その強度差を利用して、接着部のラベルの先端から引き剥ぐことによって、接着部に対し強度の弱いラベル側が指先に負担をかけず垂直に切り剥ぐことが出来る。
【実施例】
【００１１】  本発明を図１によって説明するとペットボトル１，ラベル２の接着部３の上下両端に切り口７を設け、その切り口の左右のラベルを切り欠いて、点字を備えた切り口４を指先で簡単につかむ様にしたものである。【００１２】  図２はペットボトルのラベルの適当な所の上下両端に点字付切り口を設け、その点字付切り口に沿って狐目を備えたもので有る。
【図面の簡単な説明】
【００１３】
【図１】  ペットボトルのラベルの接着部の上下に切り口を設け、下部の切り口に点字を備えた側面図である。
【図２】  ペットボトルのラベルの適当な所の上下の一方端に点字付切り口を備え、その切り口に沿って狐目を備えた側面図である。
【符号の説明】
【００１４】  １、ペットボトル
２、ラベル
３、ラベルの接着部
４、点字付切り口
５、切り欠き部
６、狐目
７、切り口
【図１】
2006193207.tif 000003
【図２】
2006193207.tif 000004
(57)【要約】      （修正有）【課題】収納した雑誌や新聞を結束するために、再度取り出したり、紐通しのための棒や針金を使わずとも簡単に結束する。【解決手段】新聞ストッカーの収納部を４分割させ、接続部材２によって底板１から浮かせた状態で固定される。これにより、収納部と底板の間に手がまわり、そのままの状態で容易に十文字に結束することができる。【選択図】図２
2006193211.tif 000002
【特許請求の範囲】
【請求項１】
各部材はプラスチック製の単独部材で構成され、容易に組み立てられる。
【請求項２】
新聞や雑誌を収納した状態のまま、下部に手が回せ、容易に結束できる。
【請求項３】
底板上には、必要な玉紐・鋏・カッターナイフ等が収納できる。
【発明の詳細な説明】
【技術分野】
【０００１】  本発明は、従来の新聞ストッカーの収納部を４分割させ、接続部材によって底板から浮かせた状態で固定される。これにより、収納部と底板の間に手がまわり、そのままの状態で容易に十文字に結束することができる。
【背景技術】
【０００２】  従来の新聞ストッカーでは結束時に、収納された新聞等を一度外に出して結束したり、針金や細い棒を用いて紐を通したりしなければならなかったが、本発明ではその必要が無い。
【発明の開示】
【発明が解決しようとする課題】
【０００３】  収納した新聞や雑誌を再度、取り出すことなく、棒や針金を使わずとも容易に結束できる。
【課題を解決するための手段】
【０００４】  収納した状態のまま結束できるように、収納部を４分割し、かつ、下部に手がまわるように収納部を浮かせた状態にする。
【発明を実施するための最良の形態】
【０００５】  ４分割した収納部を、接続部材によって底板部材から浮かせた状態で組み立てる。
【発明の効果】
本発明は、プラスチック製の組み立て部品で構成され、下部に手がまわるため紐通しのための棒や針金を用いずとも簡単に新聞や雑誌が結束できる。また、底板上には必要な玉紐、鋏、カッターナイフ等が収納できるため、その都度用意する必要が無い。
【図面の簡単な説明】
【図１】  組み立てた収納部材３の平面図である。
【図２】  接続部材２により組み立てた、底板１と収納部材３の側面図である。
【図３】  組み立てた部材の、Ａ−Ａ’断面図である。
【符号の説明】
１  底板
２  接続部材
３  収納部材
【図１】
2006193211.tif 000003
【図２】
2006193211.tif 000004
【図３】
2006193211.tif 000005
(57)【要約】【課題】  家電機器、ＯＡ機器、精密機器等の薄肉構成部に設置することができ、小型軽量化を図りながら、十分な駆動力が得られると共に、十分な剛性を確保させて、駆動時における機械振動も低減できる電動機の固定子を提供する。【解決手段】  固定子鉄心１の断面形状を長径Ｘと短径Ｙとの比が１．０を超える扁平状とする。又、回転子の中心Ｏを通過する長径Ｘを表示する直線ＰＸを対向する一対の突極２ａ，２ａの幅方向二等分線と略一致させ、回転子の中心Ｏを通過する短径Ｙを表示する直線ＰＹを対向する一対の巻線用溝３ａ，３ａの幅方向二等分線と略一致させる。【選択図】          図１
2006020393.tif 000002
【特許請求の範囲】
【請求項１】
固定子鉄心の断面形状を長径と短径との比が１．０を超える扁平状とすると共に、回転子の中心を通過する長径を表示する直線を対向する一対の突極の幅方向二等分線と略一致させ、回転子の中心を通過する短径を表示する直線を対向する一対の巻線用溝の幅方向二等分線と略一致させるようにしたことを特徴とする電動機の固定子。
【請求項２】
前記固定子鉄心の長径と短径との比は、１．０を超え１．４以下であることを特徴とする請求項１に記載の電動機の固定子。
【発明の詳細な説明】
【技術分野】
【０００１】
本発明は、断面形状が扁平状である固定子鉄心を有する固定子であって、小型軽量化を図ると共に、機械振動を低減させた電動機の固定子に関する。
【背景技術】
【０００２】
従来、各種家電機器、ＯＡ機器、精密機器等の駆動装置として使用される電動機の固定子は、機械振動を低減させるべく、十分な剛性を確保させるため、図２に示すように、固定子鉄心３１の断面形状を円形状としていた。
一方、電動機効率を向上させるべく、整列巻線による巻線占積率を高めるため、図３に示すように、固定子鉄心５１の外径部に平坦部５２ａ，５２ｂ，５２ｃを形成した電動機の固定子も提案されている（特許文献１参照）。
【０００３】
【特許文献１】特開２００１−１９７６８９号公報
【発明の開示】
【発明が解決しようとする課題】
【０００４】
上記の如く、従来の電動機の固定子は何れも、固定子鉄心の断面形状において、長径と短径との比が略１のものであったから、電動機を家電機器、ＯＡ機器、精密機器等の薄肉構成部に設置する場合には、固定子の外径が小さいものを使用する必要がある。
しかし、固定子の外径が小さいものを使用すると、必然的に、固定子の内径、回転子の外径も小さくなって、結局のところ、駆動力の小さい電動機を使用せざるを得ず、十分な駆動力が得られないという問題があった。
【０００５】
ここで、薄肉構成部に設置する電動機の駆動力を極力大きくするためには、固定子の外径を小さくしつつ、固定子の内径を大きくする必要があり、よって、固定子鉄心の肉厚を薄くする必要がある。
しかし、固定子鉄心の肉厚を薄くすると、固定子の剛性が大幅に低下して、駆動時における機械振動が増大し、電動機の駆動が不安定になると共に、大きな騒音が発生するという問題があり、実用的ではなかった。
【０００６】
本発明は、かかる問題点に鑑みて為されたものであって、家電機器、ＯＡ機器、精密機器等の薄肉構成部に設置することができ、すなわち、小型軽量化を図りながら、十分な駆動力が得られると共に、十分な剛性を確保させて、駆動時における機械振動も低減できる電動機の固定子を提供することを目的とする。
【課題を解決するための手段】
【０００７】
上記目的を達成するため、本発明の電動機の固定子は、固定子鉄心の断面形状を長径と短径との比が１．０を超える扁平状とすると共に、回転子の中心を通過する長径を表示する直線を対向する一対の突極の幅方向二等分線と略一致させ、回転子の中心を通過する短径を表示する直線を対向する一対の巻線用溝の幅方向二等分線と略一致させることによって、各突極の基端部における肉厚を確保し、十分な剛性を確保し得るようにしたことを特徴とする。
【０００８】
ここで、電動機の駆動力を極力大きく保持しつつ、電動機の小型軽量化を図ることができるように、固定子鉄心の長径と短径との比は、１．０を超え１．４以下とするのが好ましい。
【発明を実施するための最良の形態】
【０００９】
以下、本発明の電動機の固定子の好適な実施形態について、図面を参照して具体的に説明する。
【００１０】
本発明の電動機の固定子は、図１に示すように、断面形状が扁平状である固定子鉄心１を有する。
ここで、２は巻線を巻回する突極、３は巻線を配置する巻線用溝、４は電動機を設置するための貫通孔である。
【００１１】
固定子鉄心１において、図１に示すように、その断面形状は扁平状としてあり、すなわち、長径Ｘと短径Ｙとの比が１．０を超えるようにしてある。ここで、長径Ｘと短径Ｙとの比は１．０を超え１．４以下とするのが好ましく、特には、１．０５以上１．２以下とするのが好ましい。
【００１２】
又、固定子鉄心１において、回転子の中心Ｏを通過する長径Ｘを表示する直線ＰＸが、対向する一対の突極２ａ，２ａの幅方向二等分線と略一致するようにしてあり、回転子の中心Ｏを通過する短径Ｙを表示する直線ＰＹが、対向する一対の巻線用溝３ａ，３ａの幅方向二等分線と略一致するようにしてある。
【００１３】
本発明の電動機の固定子の構成は上記の如くであり、電動機を家電機器、ＯＡ機器、精密機器等の薄肉構成部に設置する場合には、その薄肉構成部の厚さ方向に、固定子鉄心１の短径Ｙ方向を略一致させて設置する。
【００１４】
本発明の固定子によれば、固定子鉄心１の断面形状を長径Ｘと短径Ｙとの比が１．０を超える扁平状としたから、固定子の内径を比較的大きく保持することができ、薄肉構成部に設置する電動機の駆動力を極力大きくすることができる。
【００１５】
又、長径Ｘと短径Ｙとの比を１．０を超え１．４以下、特には、１．０５以上１．２以下とすることによって、電動機の駆動力を極力大きく保持しつつ、電動機の小型軽量化を図ることができる。
【００１６】
一方、回転子の中心Ｏを通過する長径Ｘを表示する直線ＰＸを、対向する一対の突極２ａ，２ａの幅方向二等分線と略一致させ、回転子の中心Ｏを通過する短径Ｙを表示する直線ＰＹを、対向する一対の巻線用溝３ａ，３ａの幅方向二等分線と略一致させてある。
これによって、各突極２の基端と固定子鉄心１の外周との間隔、すなわち、必要部分の肉厚を十分に確保したから、固定子の剛性を十分に確保でき、駆動時における機械振動も低減できる。
【図面の簡単な説明】
【００１７】
【図１】本発明の電動機の固定子を構成する固定子鉄心の断面図である。
【図２】従来の電動機の固定子を構成する固定子鉄心の一例を示す断面図である。
【図３】従来の電動機の固定子を構成する固定子鉄心の他例を示す断面図である。
【符号の説明】
【００１８】
１  固定子鉄心
２  突極
３  巻線用溝
Ｘ  長径
Ｙ  短径
Ｏ  回転子の中心
ＰＸ  回転子の中心Ｏを通過する長径Ｘを表示する直線
ＰＹ  回転子の中心Ｏを通過する短径Ｙを表示する直線
【図１】
2006020393.tif 000003
【図２】
2006020393.tif 000004
【図３】
2006020393.tif 000005
(57)【要約】【課題】一般的にサーフィンをするほとんどの人が、膝用，足首用リーシュコード（サーフボードの流れ止め）のどちらか一方若しくは両方所持しているが、リーシュコードアダプターを使用することにより足首用リーシュコードにリーシュコードアダプターを装着し、足首用のみで足首，膝用両方を兼用するための安全で低コストな商品を提供する。【解決手段】足首用リーシュコードの装着部分は全体の長さが短いため、ポリエステル系のベルトにベルクロファスナーを取り付けたリーシュコードアダプターを用いて延長して長さの調節をし、膝用として使用する。足首用として使用する時は、リーシュコードアダプターを外し足首に取り付ける。【選択図】図６
2006020994.tif 000002
【特許請求の範囲】
【請求項１】
サーフィンをする際に使用するサーフボードの流れ止め（リーシュコード）を体に取り付けする箇所が膝取り付け用と足首取り付け用に分かれるが、その２つを統合するために用いるアダプター。
【発明の詳細な説明】
【技術分野】
【０００１】  本発明は、サーフボードの流れ止め（リーシュコード）と体を繋ぐ為の安全器具に関するものである。
【背景技術】
【０００２】  一般的にサーフィンをするほとんどの人が、膝用，足首用のどちらか一方若しくは、両方所持している。これは、装着部位の長さの関係で兼用出来ないためであり、兼用で使用できるものは市販されていない。【０００３】  膝用に関しては、平均的に膝下約２ｃｍの最細部に巻き付け使用する。歩いたときの動きに幅がある足首より上部で使用する事により、絡みづらく運動性能が良い反面、図１ａ寸法に示した膝用を装着する部分の日本人の平均的な周囲寸法は３２ｃｍ〜３４ｃｍに対して、図２のｂ寸法に示した足の甲と踵の日本人の平均な周囲寸法は２６ｃｍ〜２８ｃｍと寸法差を図示して解る通り脱落し易い寸法となっていることから安全面という観点で考えると好ましくはない。【０００４】  足首用に関しては、踝の上に装着するもので図３のｃ寸法に示す足首の日本人の平均な周囲寸法は１９ｃｍ〜２２ｃｍに対して、図２のｂ寸法に示した足の甲と踵の日本人の平均な周囲寸法は２６ｃｍ〜２８ｃｍと寸法差を参照して解る通り脱落しづらい構造となっている。しかし、動きのある足首近くにリーシュコードを固定することにより運動性能は、膝用に比べ減少する。【０００５】  海の状況は日々変化し、ハードな状況化では運動性能を犠牲にしても安全面の観点から、足首用を使用するのが好ましい。しかし、普通の状況化においては運動性能が良い膝用が好ましいが、両方所持するためには消耗品として考えると、コストがかかるため厳しい。
【非特許文献１】「エイ出版社  Ｓｕｒｆ  Ｓｔｙｌｅ２００４」，クリエイチャーオブレジャー，Ｐ３３２
【発明の開示】
【発明が解決しようとする課題】
【０００６】  膝用，足首用の両方を所持する事無く、安全性，運動性能の両方を兼ね備えた補助製品を提供する。この製品をリーシュコードアダプターと称する。
【課題を解決するための手段】
【０００７】  本発明は、市販されている足首用リーシュコードとリーシュコードアダプターを接続し、体との接続部分の長さを調節可能とする事で、足首用リーシュコードと膝用リーシュコードを兼用して使用できるようにする。【０００８】  市販されている足首用リーシュコードと本考案のリーシュコードアダプターを接続するためには、ベルクロファスナー（株式会社クラレ製）を使用する。図４に示すリーシュコードアダプターの足首用リーシュコードと接続するベルクロファスナー部分は、ｄ寸法は、１４ｃｍ。日本で市販されている足首用リーシュコードのベルクロファスナー部分の平均な寸法は、１５ｃｍ。確実な接続が出来るので外れる危険性は無い。リーシュコードアダプターと足首用リーシュコードを接続した全長は、図５のｅ寸法は、５６ｃｍ。膝用を装着する部分図１のａに示す日本人の平均的な周囲寸法３２ｃｍ〜３４ｃｍをカバー出来ている。
【発明の効果】
【０００９】  リーシュコードアダプターを用いることにより、足首用，膝用の両方のリーシュコードを所持する必要が無くなり、低コストで危険性の少ないサーフィンが楽しめるようになる。
【発明を実施するための最良の形態】
【００１０】  装着手順を図６で説明する。
市販品足首用リーシュコードのベルクロファスナー部分−イをリーシュコードアダプターのベルクロファスナー部分−口と接着し膝下約２ｃｍの所に巻きつけ後、リーシュコードアダプターのベルクロファスナー部分−ハと市販品足首用リーシュコードのベルクロファスナー部分−ニを接着する。接着の程度は、個人差もあるが取り付け部分が締まり過ぎて、足の動きが拘束されない程度とする。【００１１】  リーシュコードアダプター装着の判断基準は、あくまで使用者本人の技量及び海の状況判断力に委ねられる。刻々と変化する海の中では、あらゆる危険性が有り、特に初心者は自分の技量を過信しない注意力が必要である。【００１２】  リーシュコードアダプターの材質は、海での塩害に対して耐久性があり、また、焼却処分する際の公害対策としてもポリエステル系が望ましい。また、市販品足首用リーシュコードとの取り付け及び膝に装着する部分の材質は、本発明の説明にも記載があるベルクロファスナーが望ましい。
【図面の簡単な説明】
【００１３】
【図１】市販品膝用リーシュコードを膝下約２ｃｍの所に巻き付けした図面
【図２】足の甲〜踵の図面
【図３】市販品足首用リーシュコードを踝上に巻き付けした図面
【図４】リーシュコードアダプターの平面図面
【図５】市販品足首用リーシュコードとリーシュコードアダプターを取り付けした平面図面
【図６】膝装着時の手順図面
【符号の説明】
【００１４】Ａ  サーフボード
Ｂ  ロゴマーク
Ｄ  ベルクロファスナー
Ｅ  パット
Ｆ  市販品足首用リーシュコード取付部
Ｇ  リーシュコードアダプター
Ｈ  ベルクロファスナー  −イ
Ｊ  ベルクロファスナー  −ハ
Ｋ  ベルクロファスナー  −ニ
Ｌ  ベルクロファスナー  −ロ
【図１】
2006020994.tif 000003
【図２】
2006020994.tif 000004
【図３】
2006020994.tif 000005
【図４】
2006020994.tif 000006
【図５】
2006020994.tif 000007
【図６】
2006020994.tif 000008
(57)【要約】      （修正有）【課題】浴用の湯温を長時間保つことができ、かつ、コンパクトで、持ち運びして、家庭で使用することができる簡易足浴槽を提供すること。【解決手段】コンパクトで持ち運び容易な足浴槽１に、温度調整スイッチ３の付いた熱源４を設け、湯の温度を調整する構成とした。【選択図】図１
2006020995.tif 000002
【特許請求の範囲】
【請求項１】
コンパクトで持ち運びが容易で湯温の温度調整機能付き簡易足浴槽
【発明の詳細な説明】
【発明の詳細な説明】
この発明は、コンパクトなので持ち運びが容易で、電源を入れて、温度に合わせると湯温の温度が自由に調整できる機能がついた足浴用に関するものである。
従来、足浴をしたいときは温泉地等の施設に出向かなければ入れず、時間がかかり、足浴する場合は不便が多かった。
本発明は、その欠点を除くためになされたもので、湯温の温度調整機能がついているために必要とする足浴時間の湯温を長時間保つことができて、コンパクトなので持ち運びして、家庭で使用することができる。
現代は、高齢者が多くなり、体の不自由な方の体を起こしたままの姿勢でベットの横で足を下ろして足湯に入れる介護用足浴槽。
足浴する事で心を癒し、体内の血行を促し、健康増進の効果が得られる。
また、コンパクトなので湯量も少なくてすむ。
そして、市販されている入浴剤を利用することや温泉地の源泉を活用することで、より一層の脚湯効果が得られる簡易足浴槽。
【図１】
2006020995.tif 000003
【図２】
2006020995.tif 000004
【手続補正書】
【提出日】平成16年9月6日(2004.9.6)
【手続補正１】
【補正対象書類名】明細書
【補正対象項目名】全文
【補正方法】変更
【補正の内容】
【書類名】        明細書【発明の名称】    足浴槽【技術分野】【発明の属する技術分野】【０００１】この発明は、浴槽に電熱を付けることで、水温を一定温度に保つことのできる足浴槽に関するものである。【従来の技術】【０００２】  従来の足浴槽は、温泉地など特定な場所に浴槽を固定して造られているため、施設地まで行かないと足浴をする事ができなかった。また、家庭で洗面器等を浴槽替わりに湯を入れて足浴をしても短時間で湯温が下がり十分な足浴効果が得られなかった。【発明が解決しようとする課題】【０００３】  本発明は、その欠点を除くために、足浴用浴槽の湯温を一定に保つことが課題である。また、特定な所で固定された浴槽では、足浴できる人が限られるため、浴槽そのものを持ち運びを容易にし、好みの場所で、足浴することを容易にすることも課題である。【課題を解決するための手段】【０００４】  本発明は、足浴槽に電熱を付ける事で、浴槽の湯温を一定温度に保つことを容易にした。また、温度調節及びタイマー機能を付けることで、各利用者の体温に合った湯温を一定時間保つようにした。そして、コンパクトにする事で、浴槽を持ち運びが容易で、何時でも、何処でも使用することを可能にした。【発明の効果】【０００５】  本発明は以上のような構成から、浴槽内の湯を一定温度に保つことで足浴の効果が得られるようにした。また、コンパクトにすることで持ち運びが容易で、何時でも何処でも足浴ができるようにした。  現代は高齢化時代になり、高齢者の人口増加から体の不自由な方、寝たきり状態の方が多くなり、家庭での入浴は経験と労力を必要としている。  したがって、経験豊富なホームヘルパーの方々が入浴機器など利用し、複数人で行っている。その為に手間と時間を必要とし、入浴を要望する方々への対応が不足している。  本発明の電熱を利用した足浴槽は、ベッドの枠等に浴槽を固定することで寝ている姿勢でベッドから両足を下ろした状態で、フクラハギ部まで足浴が簡単にできる。又、労力をほとんど必要としないので、一般家庭で容易に足浴効果が得られる、介護用足浴槽。また、市販されている入浴剤等を活用することで、より一層体内の血行を促し・気分爽快・健康増進の効果が得られる。  なお、コンパクトにしたことで湯量を少なくし、経済的にした。【図面の簡単の説明】【０００６】【図１】本発明の電熱を利用した足浴槽。【図２】足を浴槽に下ろした形態の断面図。【符号の説明】【０００７】（１）足浴槽  （２）電源コード  （３）温度調節及びスイッチ  （４）電    熱（５）  湯    （６）配    線    （７）断  熱  材            （８）足浴した形態【手続補正２】
【補正対象書類名】特許請求の範囲
【補正対象項目名】全文
【補正方法】変更
【補正の内容】
【書類名】            特許請求の範囲【請求項１】電熱で浴槽の水温を一定温度に調節できる機能が付いた、足浴槽。【請求項２】足浴槽をコンパクトにし、持ち運びを容易にした。
(57)【要約】      （修正有）【課題】  擦り減った靴の底を、簡単に水平な靴底に戻す補修材を提供する。【解決手段】靴底の擦り減る形に徐々に厚さが薄くなる靴底に適するゴム、プラスチック、ＦＲＰ樹脂等で作成した部品と部品に速乾の接着剤を塗布し接着効力を維持する為キャップにて密封する。又は容器に入れる。容器、又はキャップを取りはずし、靴底の減った部分に押し当て手軽に簡単に靴底を補修可能とする。【選択図】  図３
2006020992.tif 000002
【特許請求の範囲】
【請求項１】
靴底の減る部分の形で、減る部分に合う徐々に薄くなる厚さの部品を作り、速乾の接着剤を塗布し、接着剤が効力を維持できるキャップ又は、容器に収める。
容器から取り出し、又はキャップを取りはずし、靴底の減った部分に押し当て手軽に簡単に靴底を補修し悪い歩行のくせを防ぐ簡単靴底補修材。
【発明の詳細な説明】
【技術分野】
【０００１】    本発明は、一般消費者の靴底の補修を図った靴に関する。
【背景技術】
【０００２】    従来の靴底の補修材には、新しい靴に薄い減り止め補助のものがある。
また，靴底修理専門店にて修理加工している。
【発明の開示】
【発明が解決しようとする課題】
【０００３】    以上に述べた従来の靴底の補修材では、減りすぎて履きずらい靴には、薄くて修理の用をたさないし、修理専門店では、待ち時間や費用がかさむ。
本発明は，このような従来の有していた問題を解決しようとするものである、安価で簡単な補修材を実現することを目的をするものである。
【課題を解決するための手段】
【０００４】  そして、本発明は上記目的を達成するために使用者の靴底が平均的に擦り減る形と徐々に薄くなる厚さの、靴底に適するゴム、ＦＲＰ樹脂、プラスチック等の材質にて、部品に速乾の接着剤を塗布し接着効力を維持する為のキャップにて密封する。又は容器に入れる
。
【発明の効果】
【０００５】  上述したように本発明の靴底補修材は、履きなれた靴の擦り減った靴底を、健康の基本、正常歩行のための水平な靴底に戻す簡単で安価な補修材を提供できる。
【発明を実施するための最良の形態】
【０００６】  以下、本発明の実施の形態を図１〜図３に基ずいて説明する。
【図面の簡単な説明】
【０００７】
【図１】本発明の実施形態を示す靴底のかかと部分の平面図
【図２】本発明品の断面図
【図３】靴底の擦り減った部分と本発明品の接着部側面図
【符号の説明】
【０００８】      １  本発明品の形
２  から３，４に厚さが徐々に薄くなる部品
５  接着剤塗布面
６  接着剤の効力維持キャップ又は容器
７  接着部
【図１】
2006020992.tif 000003
【図２】
2006020992.tif 000004
【図３】
2006020992.tif 000005
(57)【要約】【課題】包帯のイメージをなくして負傷箇所を目立たなくすることにより、他人に迷惑をかけることなく通常の会話が円滑に行なえるようにする。また、ファッション性を高めて装着が楽しめるようにする。【解決手段】包帯（１−１）を形成する布材（１ａ）の略全面を白以外の色で着色する。また、包帯（１−２）を形成する布材（１ａ）の略全面に複数の色で模様を形成する。【選択図】図２
2006020938.tif 000002
【特許請求の範囲】
【請求項１】
包帯（１−１）を形成する布材（１ａ）の略全面が白以外の色で着色されてなることを特徴とする包帯。
【請求項２】
包帯（１−２）を形成する布材（１ａ）の略全面に、複数の色で模様が形成されてなることを特徴とする包帯。
【発明の詳細な説明】
【技術分野】
【０００１】
本発明は、手足等の身体部に巻き付けて傷口や腫れ物を保護したり、筋肉痛等を緩和したりする包帯に関するものである。
【背景技術】
【０００２】
従来は、包帯を形成する布材の全面が白色に染色されたもの、あるいは包帯の本体部は白白に、両側の耳部は本体部の色と異なる色彩とし、該耳部の色を包帯の大きさ（幅）によって変えることにより、該包帯の大きさ（幅）が目視で確認できるようにしたものがあった。
【０００３】
上記従来の包帯は、全体、又は本体部が白色に統一されていたため、清潔感は有するも、これを装着すると負傷箇所が目立ち、軽傷であっても他人に気づかわれたり、負傷のことについて聞かれたりして通常の会話、あるいは業務に支障を来すことがあった。また、幼児によっては包帯を嫌がって取り付けることができない場合があった。
【０００４】
【特許文献１】特開２００１−３５３１７７号公報
【発明の開示】
【発明が解決しようとする課題】
【０００５】
本発明は、包帯のイメージを低減して負傷箇所を目立たなくすることにより、他人に迷惑をかけることなく通常の会話、業務が円滑にできるようにするとともに、ファッション性を高めて装着が楽しめる新規な包帯を得ることを目的とする。
【課題を解決するための手段】
【０００６】
本発明は、上記目的を達成するために以下の如く構成したものである。即ち、包帯を形成する布材の略全面を、白以外の色で着色するようにしたものである。また、包帯を形成する布材の略全面に、複数の色で模様を形成するようにしたものである。
【発明の効果】
【０００７】
衣服から露出した負傷箇所に包帯を巻き付ける際に、衣服の色あるいは肌の色に合った色の包帯を選択し、これを使用すると負傷箇所が目立たなくなる。このため、相手方に迷惑をかけることなく通常の会話を行なうことができ、業務が円滑に行なえることになる。また、幼児・児童等の幼年者にあっては、絵柄、図柄等の気に入った模様を選択させることにより、包帯を楽しませて使用させることができる。
【発明を実施するための最良の形態】
【０００８】
以下本発明の実施例を図面に基いて説明する。図面において、図１は本発明の第１実施例による包帯の一部を巻き出した状態の平面図、図２は本発明の第２実施例による包帯の一部を巻き出した状態の平面図、図３は本発明の第３実施例による包帯の一部を巻き出した状態の平面図、図４は本発明の第４実施例による包帯の一部を巻き出した状態の平面図である。
【０００９】
図１〜４において、１（１−１〜１−４）は、所定の色に染色された伸縮性を有する包帯であり、伸縮性の糸と非伸縮性の糸とが混在したたて糸２、及びよこ糸３により製織（平織）された細長い布材１ａからなり、その幅は使用箇所に応じて適宜設定する。なお、上記包帯１は非伸縮性のたて糸２、及びよこ糸３により形成するようにしてもよい。
【００１０】
図１において、１−１は布材１ａの全面を白以外の単一色で染色した色彩包帯である。該色彩包帯１−１は、たて糸２、及びよこ糸３を予め所定の色に染色した後、布状に製織して形成する。染色の色は、例えば黄色、桃色、青色、紫色、緑色、茶色、灰色、肌色等にする。なお、上記包帯１−１は、白色のたて糸２、及びよこ糸３を布状に製織した後、所定の色に染色するようにしてもよい。
【００１１】
図２において、１−２は布材１ａをストライプ（縞）模様にした模様包帯である。例えば布材１ａを幅方向にＡ，Ｂ，Ｃ，Ｄの４区域に区分けし、Ａ，Ｃ区域を青色に、Ｂ，Ｄ区域を黄色に、あるいはＡ〜Ｄ区域をそれぞれ異なった色にしてなる。なお、布材１ａの上記幅方向の区分け数及びその幅は適宜設定する。また、幅方向に区分けた一部の区域を白色としてもよい。上記模様包帯１−２は、予め所定の色に染色されたたて糸２、及びよこ糸３を製織して形成する。即ち、染色されたたて糸２の色を選択して上記Ａ〜Ｄ区域に対応させて配列し、よこ糸３は白あるいは上記たて糸２の色を阻害しない薄いカラー色とし、これを製織して形成する。
【００１２】
図３において、１−３は布材１ａを図柄模様にした図柄包帯である。本例では布材１ａに色彩の異なる菱形図柄Ｅ，Ｆを千鳥状に配列したものである。例えば菱形図柄Ｅを緑色に、菱形図柄Ｆを桃色にする。該菱形図柄Ｅ，Ｆの模様はプリント手法により形成する。なお、上記図柄包帯１−３は異なった色の正方形図柄を交互に並べた市松模様、帯状の図柄を井桁状に交叉させた井桁模様としてもよい、
【００１３】
図４において、１−４は布材１ａを絵柄模様にした絵柄包帯である。本例では布材１ａに赤色のチューリップ形の絵柄Ｇを点在させ、残余Ｈは黄色にする。該絵柄Ｇの模様はプリント手法により形成する。なお、上記絵柄Ｇは人形の絵柄、あるいは乗物の絵柄にしてもよい。
【００１４】
上記実施例によれば、需要者が包帯１（１−１〜１−４）を得る際に、その色、柄（模様）を選択して得ることができる。このため、仕事をする際、あるいは行楽地に行く際には、衣服の色、肌の色等に合った包帯１を使用することにより、負傷箇所を目立たなくして他人に迷惑をかけることなく業務及び行動が円滑に行なえることになる。また、幼児・児童等の幼年者にあっては、絵柄、図柄等の気に入った包帯１を選択させることにより、包帯１を楽しんで使用させることができる。
【００１５】
さらに、本発明による包帯は、所定の色彩、及び模様を有するので、負傷箇所を保護する包帯として使用できる他、ファッション、あるいは目印として使用することができる。例えば、野球、サッカー、運動会等の競技を観戦したり応援したりする際に、所定の色彩、模様の包帯１を選択してこれを頭部、あるいは腕部に巻くことにより、競技を盛り上げることができる。
【図面の簡単な説明】
【００１６】
【図１】本発明の第１実施例による包帯の一部を巻き出した状態の平面図である。
【図２】本発明の第２実施例による包帯の一部を巻き出した状態の平面図である。
【図３】本発明の第３実施例による包帯の一部を巻き出した状態の平面図である。
【図４】本発明の第４実施例による包帯の一部を巻き出した状態の平面図である。
【符号の説明】
【００１７】
１    包帯
１−１  色彩包帯
１−２  模様包帯
１−３  図柄包帯
１−４  絵柄包帯
１ａ  布材
２    たて糸
３    よこ糸
【図１】
2006020938.tif 000003
【図２】
2006020938.tif 000004
【図３】
2006020938.tif 000005
【図４】
2006020938.tif 000006